(57)【要約】【課題】水回り設備の移設に伴って行われる配管工事の容易化を図ることができる建物の配管構造を提供する。【解決手段】洗面室３１において、洗面台５５の給水バルブ５６には給水管６０が接続されており、排水口５７には排水管７０が接続されている。給水管６０及び排水管７０は、床下空間３８において上下方向に延びている第１配管６１，７１と、第１配管６１，７１の上端に一端が連結されている第２配管６２，７２とをそれぞれ有している。第２配管６２，７２は床下空間３８において床部３７に沿って延びており、回転継手６４，７４により第１配管６１，７１に対して回転可能な状態で連結されている。第２配管６２，７２の回転先端部には第３配管６３，７３が連結されており、第３配管６３，７３は床部３７の配管取り出し口７７を通じて床下空間３８から洗面室３１に延びている。【選択図】図１
2012117587.tif 000002
【特許請求の範囲】
【請求項１】
建物において床部よりも下方の床下空間に床下水配管が設けられる建物の配管構造であって、
前記床下水配管は、上下方向に延びている第１配管と、前記床部と平行に延びている第２配管と、前記第１配管に対して前記第２配管を回転可能な状態で連結している回転継手と、を有し、
前記第２配管の回転先端部側の端部には、前記床下空間から床上空間に延びる第３配管が連結され、
前記床部には、前記第３配管を通す配管取り出し口が位置変更可能に設けられていることを特徴とする建物の配管構造。
【請求項２】
前記床部には、着脱可能な床板片が取り付けられており、
前記床部に対する前記床板片の取り付け又は取り外しにより前記配管取り出し口の位置が変更可能であり、
前記床板片は、前記第２配管の回転先端部側の端部が移動可能となる軌跡に合わせて配置されていることを特徴とする請求項１に記載の建物の配管構造。
【請求項３】
前記床部において前記床板片は複数設けられており、
前記床部における前記床板片同士の入れ替えにより前記配管取り出し口の位置が変更可能であることを特徴とする請求項２に記載の建物の配管構造。
【請求項４】
前記床上空間は、前記第３配管が接続された水回り設備を有する水回り空間であり、
前記床板片は、前記水回り空間の前記床部に複数設けられており、
前記第１配管は、前記第２配管の回転先端部側の端部が前記水回り空間における複数の前記床板片の下方で移動可能となるように配置されていることを特徴とする請求項３に記載の建物の配管構造。
【請求項５】
前記床板片は、前記水回り空間の壁部に沿って複数配置されており、
前記第１配管は、前記第２配管の回転先端部側の端部が前記壁部に沿って配置された複数の前記床板片の下方で移動可能となるように前記水回り空間の略中央の下方に配置されていることを特徴とする請求項４に記載の建物の配管構造。
【請求項６】
前記床下水配管は、前記床下空間において複数設けられており、
複数の前記床下水配管の各床下水配管の前記回転継手は、前記床下水配管ごとの各前記第２配管を上下に相違する位置で回転させる状態で連結していることを特徴とする請求項１乃至５のいずれか１項に記載の建物の配管構造。
【請求項７】
前記第２配管は、端部同士が連結され互いに相対回転が可能な複数の配管部により形成されていることを特徴とする請求項１乃至６のいずれか１項に記載の建物の配管構造。
【請求項８】
前記第１配管には前記第２配管が前記回転継手により複数連結されており、
複数の前記第２配管は、前記第１配管に対して個別に回転可能とされ、且つ前記第１配管の長手方向に沿って上下に並べて配置されていることを特徴とする請求項１乃至７のいずれか１項に記載の建物の配管構造。
【発明の詳細な説明】
【技術分野】
【０００１】
本発明は、建物の配管構造に関するものである。
【背景技術】
【０００２】
住宅等の建物の改装を行う場合、洗面台や便器といった水回り設備を建物内において移設することがある。この場合、水回り設備の移設作業に加えて、水回り設備に接続されている設備用配管の再敷設作業、及びその再敷設作業ために壁や床に開口部を形成する作業を行う必要がある。そこで、例えば特許文献１には、建物の廊下の床に開口部が形成され、その開口部を閉鎖する床板が床に対して着脱可能に取り付けられており、開口部の下方に配管スペースが設けられているという構成が記載されている。
【０００３】
この構成では、水道管や下水道などに接続された主配管が床下の配管スペースに配設されており、水回り設備に接続されている枝管が配管スペースにおいて主配管に接続されている。この構成によれば、作業者は床板を取り外して床の開口部から配管スペースに手を差し入れ、主配管から枝管を引き出す作業を配管スペースにおいて行うことができる。
【先行技術文献】
【特許文献】
【０００４】
【特許文献１】特開平１１−１９３８８０号公報
【発明の概要】
【発明が解決しようとする課題】
【０００５】
上記特許文献１に記載の構成では、廊下等の開口部を通じて配管接続作業が行われるため、壁や床を加工して新たに作業用の開口部を形成する必要はないが、水回り設備の移設に伴ってその移設先と配管スペースとの間に新たな枝管を敷設する作業や、敷設した枝管を主配管に接続する作業を行う必要はある。したがって、水回り設備の移設に伴う配管工事の作業負担を十分に低減することができないという不都合がある。
【０００６】
本発明は、水回り設備の移設に伴って行われる配管工事の容易化を図ることができる建物の配管構造を提供することを主たる目的とする。
【課題を解決するための手段】
【０００７】
上記課題を解決するために、第１の発明の建物の配管構造は、建物において床部よりも下方の床下空間に床下水配管が設けられる建物の配管構造であって、前記床下水配管は、上下方向に延びている第１配管と、前記床部と平行に延びている第２配管と、前記第１配管に対して前記第２配管を回転可能な状態で連結している回転継手と、を有し、前記第２配管の回転先端部側の端部には、前記床下空間から床上空間に延びる第３配管が連結され、前記床部には、前記第３配管を通す配管取り出し口が位置変更可能に設けられていることを特徴とする。
【０００８】
第１の発明によれば、回転継手により第１配管に対して第２配管が回転可能とされている。このため、例えば水回り設備を移設する場合、床下空間において第１配管と第２配管とを連結させたまま第２配管を回転させることにより、その第２配管の回転先端部側の端部（第１配管とは反対側の端部）を移動させ、第３配管と連結させる位置を変更することができる。つまり、第１配管を軸部として第２配管を回転させるという容易な作業により第２配管の配管ルートを変更することができる。この場合、第２配管を第１配管から取り外す作業や再連結する作業を行う必要がない。したがって、水回り設備の移設に伴って行われる配管工事の容易化を図ることができる。
【０００９】
また、床部において位置変更可能に配管取り出し口が設けられているため、その配管取り出し口を通じて床上空間に延びている第３配管を水周り設備に接続することができる。
【００１０】
なお、回転継手は、上下方向に延びる軸線を回転軸として第１配管に対して第２配管を回転可能とすることが好ましい。これにより、床下空間において第２配管の回転先端部側の端部を床部に沿って移動させることができる。
【００１１】
第２の発明では、前記床部には、着脱可能な床板片が取り付けられており、前記床部に対する前記床板片の取り付け又は取り外しにより前記配管取り出し口の位置が変更可能であり、前記床板片は、前記第２配管の回転先端部側の端部が移動可能となる軌跡に合わせて配置されている。
【００１２】
第２の発明によれば、第２配管の回転先端部側の端部が移動可能となる軌跡に合わせて床板片が配置されている。つまり、第３配管を取り出す可能性がある位置に合わせて床板片が配置されている。ここで、第３配管の移設に際して、配管取り出し口を形成するために床部に切欠き等の加工を施す必要がなく、床板片の取り付けや取り外しといった容易な作業により配管取り出し口を移設することができる。したがって、水回り設備の移設に際して、配管取り出し口の形成作業を容易化することができる。
【００１３】
なお、前記配管取り出し口は、前記床板片が取り外されることで前記床部に形成される開口部でもよく、前記床板片に形成されている開口部でもよい。
【００１４】
第３の発明では、前記床部において前記床板片は複数設けられており、前記床部における前記床板片同士の入れ替えにより前記配管取り出し口の位置が変更可能である。
【００１５】
第３の発明によれば、床部に取り付けられた床板片同士の位置を入れ替えることにより配管取り出し口を移設することができる。この場合、既設の床板片を利用して配管取り出し口の移設作業を行うことができるため、新規の床板片を使用する必要がない。したがって、配管取り出し口の移設作業についてコスト低減を図ることができる。
【００１６】
なお、床板片同士の入れ替えが可能な構成としては、各床板片の大きさ及び形状が同じとされている構成が好ましい。また、床板片同士の入れ替えにより配管取り出し口の位置が変更可能な構成としては、複数の床板片のうち１つに配管取り出し口が形成されており、その床板片を位置変更することにより配管取り出し口を位置変更する構成が挙げられる。
【００１７】
第４の発明では、前記床上空間は、前記第３配管が接続された水回り設備を有する水回り空間であり、前記床板片は、前記水回り空間の前記床部に複数設けられており、前記第１配管は、前記第２配管の回転先端部側の端部が前記水回り空間における複数の前記床板片の下方で移動可能となるように配置されている。
【００１８】
第４の発明によれば、水回り空間の床部において、第２配管の回転先端部側の端部が移動可能な位置の上方に床板片が設けられているため、床板片同士の位置を入れ替えることにより第２配管の回転先端部側の端部の上方に配管取り出し口を移設することができる。したがって、水回り空間内において水周り設備を移設する場合に、配管取り出し口の移設作業を容易化することができる。
【００１９】
第５の発明では、前記床板片は、前記水回り空間の壁部に沿って複数配置されており、前記第１配管は、前記第２配管の回転先端部側の端部が前記壁部に沿って配置された複数の前記床板片の下方で移動可能となるように前記水回り空間の略中央の下方に配置されている。
【００２０】
水回り空間においては水回り設備が壁部に沿って配置されることが多い。したがって、第５の発明のように、水回り空間の壁部に沿って床板片が並べられ、それら床板片の下方を第２配管の回転先端部側の端部が移動することが好ましい。これにより、水回り空間における床板片の配置を水回り設備の移設に適した配置とすることができる。
【００２１】
なお、前記水回り空間において前記床部は四辺形状に形成されており、前記床板片は、前記水回り空間における前記床部の一辺に沿って複数が配置されていることが好ましい。この場合、水回り空間において水回り設備を移設する際に水回り設備の移設元と移設先とが床部の一辺に沿って並んでいる場合、移設元と移設先とで床板片を入れ替えることができる。つまり、配管取り出し口を移設元から移設先に移設する作業を容易化できる。
【００２２】
第６の発明では、前記床下水配管は、前記床下空間において複数設けられており、複数の前記床下水配管の各床下水配管の前記回転継手は、前記床下水配管ごとの各前記第２配管を上下に相違する位置で回転させる状態で連結している。
【００２３】
第６の発明によれば、床下空間に床下水配管が複数設けられている構成において、いずれかの床下水配管の第２配管を回転させた場合にその第２配管が他の床下水配管に接触しない。このため、いずれかの床下水配管について第２配管の配管ルートを変更する際の自由度が他の床下水配管によって低下することを回避できる。
【００２４】
第７の発明では、前記第２配管は、端部同士が連結され互いに相対回転が可能な複数の配管部により形成されている。
【００２５】
第７の発明によれば、配管部同士の連結部でそれら配管部の相対角度を変更することで第２配管を折り曲げることが可能となり、第２配管において回転先端部側の端部とその反対側の端部（回転基端部）との間の離間距離（両端部の直線距離）を変更できる。このため、第２配管の配管ルートの自由度を高めることができる。また、床下空間において床束等の部材が設けられていても、この部材との干渉を避けるようにして第２配管を配設することができる。
【００２６】
第８の発明では、前記第１配管には前記第２配管が前記回転継手により複数連結されており、複数の前記第２配管は、前記第１配管に対して個別に回転可能とされ、且つ前記第１配管の長手方向に沿って上下に並べて配置されている。
【００２７】
第８の発明によれば、第１配管に複数の第２配管が連結されている構成において、１つの第２配管を回転させた場合にその第２配管が他の第２配管に接触することを回避できる。つまり、第２配管の配管ルートを変更する際の自由度が他の第２配管によって低下することを回避できる。
【図面の簡単な説明】
【００２８】
【図１】本実施形態における洗面室周辺の構成を示す概略断面図。
【図２】洗面室周辺の構成を示す概略平面図。
【図３】洗面台を移設する場合の作業手順を説明するための説明図。
【図４】ユニット式建物の概要を示す斜視図。
【図５】建物ユニットの骨格を示す斜視図。
【図６】別の洗面室周辺の構成を示す概略平面図。
【図７】別の洗面室周辺の構成を示す概略平面図。
【図８】別の洗面室周辺の構成を示す概略断面図。
【図９】別の洗面室周辺の構成を示す概略平面図。
【発明を実施するための形態】
【００２９】
以下、本発明を具体化した一実施形態について図面を参照しつつ説明する。本実施形態では、本発明を鉄骨ラーメンユニット工法により構築された二階建てユニット式建物にて具体化している。まず、ユニット式建物について図４、図５を参照しつつ説明する。図４は、ユニット式建物の概要を示す斜視図、図５は建物ユニットの骨格を示す斜視図である。
【００３０】
図４に示すように、住宅等の建物１０は、基礎１１上に設けられた下階部分としての一階部分１５と、一階部分１５の上方に設けられた二階部分１６とを有している。一階部分１５及び二階部分１６は、それぞれ複数の建物ユニット２０が並べられることで構成されている。
【００３１】
図５に示すように、建物ユニット２０は、四隅に配置された柱２１と、隣り合う柱２１の上端部を連結する天井大梁２２と、隣り合う柱２１の下端部を連結する床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３２】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。
【００３３】
次に、建物１０の配管構造について図１、図２を参照しつつ説明する。図１は洗面室３１周辺の構成を示す概略断面図、図２は洗面室３１周辺の構成を示す概略平面図である。
【００３４】
図１、図２に示すように、住宅等の建物１０には洗面室３１及び浴室３２が設けられている。洗面室３１及び浴室３２は隣り合わせに並べられており、仕切壁３５により仕切られている。また、洗面室３１及び浴室３２は、屋内空間として外壁３６により屋外空間と仕切られており、床上空間として床部３７により床下空間３８と仕切られている。洗面室３１は平面視で略矩形状とされている。したがって、洗面室３１における床部３７も略矩形状とされている。なお、洗面室３１は水回り空間に相当する。
【００３５】
基礎１１は、少なくとも一部が地中に埋設された状態で設置されており、その埋設部分から地上面ＧＬよりも上方に立ち上がっている立ち上がり部１１ａを有している。立ち上がり部１１ａは建物１０の外周面（外壁３６）に沿って延びており、床下空間３８の四方は立ち上がり部１１ａにより囲まれている。立ち上がり部１１ａ上には建物ユニット２０が載置されており、床部３７は床大梁２３及び床小梁２６により下方から支持されている。床部３７は、床面を形成するパーティクルボード等の床面材４１と、床面材４１を下方から支持する床根太４２と、グラスウール等の床断熱材４３とを有している。床根太４２は床大梁２３又は床小梁２６上に載置されており、床断熱材４３は床面材４１の下面に沿って延びている。
【００３６】
外壁３６は、屋外面を形成する外壁パネル４５と、屋内面を形成する内壁パネル４６とを有している。外壁パネル４５及び内壁パネル４６は建物ユニット２０の骨格に対して取り付け固定されており、それらパネル４５，４６の間には外壁断熱材４７が設けられている。
【００３７】
仕切壁３５は、向かい合う一対の仕切壁パネル４８を有している。仕切壁パネル４８は建物ユニット２０の骨格に対して取り付け固定されており、それら仕切壁パネル４８の間には仕切壁断熱材４９が設けられている。
【００３８】
洗面室３１において外壁３６及び仕切壁３５には巾木５１が取り付けられている。巾木５１は、外壁３６の内壁パネル４６の下端に沿って延びているとともに、仕切壁３５の洗面室３１側の仕切壁パネル４８の下端に沿って延びている。この場合、巾木５１は、洗面室３１の床部３７の周縁部に沿って延びている。換言すれば、床部３７の壁際に沿って延びている。
【００３９】
洗面室３１には水周り設備としての洗面台５５が設けられており、洗面台５５は外壁３６側の壁際に配置されている。洗面台５５には、洗面台５５への給水を行う給水バルブ５６と、洗面台５５からの排水を行う排水口５７とが設けられている。給水バルブ５６には給水管６０が接続されており、排水口５７には排水管７０が接続されている。この場合、給水管６０から給水バルブ５６を通じて湯水が洗面台５５に供給され、排水口５７から排水管７０を通じて湯水が洗面台５５から排出される。
【００４０】
ここで、建物１０のリフォーム等により水回り設備の移設工事が行われる場合、その移設工事に伴って配管工事が行われる。本実施形態では、洗面室３１の改装により洗面台５５の移設工事が行われる場合に、その移設工事に伴って行われる給水管６０及び排水管７０の配管工事を容易化する配管構造が実現されている。ここでは、給水管６０及び排水管７０の配管構造について説明する。
【００４１】
まず、給水管６０の配管構造について説明する。給水管６０は、床下空間３８において上下方向に延びている第１配管６１と、第１配管６１の上端に一端が連結されている第２配管６２と、第２配管６２における第１配管６１とは反対側の端部に連結されている第３配管６３とを有している。
【００４２】
第１配管６１は、地中から地表面を貫通して床下空間３８に向けて延びており、第２配管６２とは反対側の端部が上水道に連結されている。なお、第１配管６１は地中に埋設されていなくてもよい。この場合、第１配管６１を上水道に連結する連結配管が床下空間３８に敷設されており、第１配管６１を連結配管から上方に向けて延びている構成とする。
【００４３】
第２配管６２は、床下空間３８において略水平方向に延びており、回転継手６４により第１配管６１に対して回転可能な状態で連結されている。回転継手６４には第１配管６１の上端と第２配管６２の一端とがそれぞれ接続されており、回転継手６４において第２配管６２の接続部分が、上下方向に延びる回転軸を中心に第１配管６１の接続部分に対して相対的に回転する。この場合、第２配管６２が第１配管６１に対して回転すると、第２配管６２の回転先端部は床部３７に沿って略水平方向に移動することになる。
【００４４】
第３配管６３は、床部３７を貫通して床下空間３８から洗面室３１に向けて上方に延びている。第３配管６３は、床下空間３８において非回転継手６５により第２配管６２に連結されており、洗面室３１において洗面台５５の給水バルブ５６に接続されている。非回転継手６５は、第３配管６３の端部と第２配管６２の回転先端部とを連結している。
【００４５】
排水管７０は、給水管６０の第１配管６１〜第３配管６３、回転継手６４、非回転継手６５に相当する第１配管７１〜第３配管７３、回転継手７４、非回転継手７５を有しており、配管構造は給水管６０と同一の配管構造とされている。
【００４６】
なお、給水管６０及び排水管７０においては、第１配管６１，７１、第２配管６２，７２、回転継手６４，７４により床下水配管が構成されている。
【００４７】
給水管６０及び排水管７０において第１配管６１，７１及び回転継手６４，７４は、洗面室３１の略中央部分の下方において横並びに配置されている。排水管７０の第１配管７１は給水管６０の第１配管６１より上方まで延びており、排水管７０の回転継手７４に接続されている第２配管７２は、給水管６０の回転継手６４及び第２配管より上方に配置されている。このため、排水管７０の第２配管７２が第１配管７１に対して回転する場合、その第２配管７２は給水管６０の回転継手６４及び第２配管６２の上方を移動することになる。したがって、第２配管７２が回転した場合に第２配管７２の回転先端部が移動可能となる移動軌跡Ｒｂは、回転継手７４を中心とした円状となる。また、移動軌跡Ｒｂの中心、すなわち第２配管７２の回転軸Ｊｂは上下方向に延びており、洗面室３１の中心線と重なっている。
【００４８】
これに対して、給水管６０の第２配管６２は排水管７０の第１配管７１又は回転継手７４の側方に配置されており、第２配管６２は第１配管６１に対して回転する際に排水管７０に干渉しない範囲で回転可能となっている。したがって、第２配管６２が回転した場合に第２配管６２の回転先端部が移動可能となる移動軌跡Ｒａは、回転継手６４を中心とした円弧状となる。また、移動軌跡Ｒａの中心、すなわち第２配管６２の回転軸Ｊａは回転軸Ｊｂの近傍において上下方向に延びている。なお、第２配管６２の回転軸Ｊａが洗面室３１の中心線と重なり、第２配管７２の回転軸Ｊｂが回転軸Ｊａの近傍にあってもよい。
【００４９】
第２配管６２，７２の各回転先端部は洗面台５５の下方に配置されており、床部３７における前記回転先端部の上方部分には配管取り出し口７７が設けられている。配管取り出し口７７は床下空間３８と洗面室３１とを連通しており、配管取り出し口７７には、第２配管６２，７２の各回転先端部に連結された第３配管６３，７３が挿通されている。これにより、第３配管６３，７３は床部３７を貫通して床下空間３８から洗面室３１に取り出された状態となっている。なお、第２配管６２，７２はそれぞれ別の配管取り出し口を通じて洗面室３１に取り出されていてもよい。
【００５０】
第１配管６１，７１及び回転継手６４，７４の上方において床部３７には、回転継手６４，７４を洗面室３１側に露出させるための継手用開口部８１が設けられている。継手用開口部８１は、床下空間３８と洗面室３１とを連通しており、洗面室３１において床部３７の略中央に配置されている。継手用開口部８１には継手用床板片８２が着脱可能に取り付けられている。継手用開口部８１の下面側には、継手用床板片８２を下方から支持する支持枠８３が設けられており、継手用床板片８２は支持枠８３上に載置されることにより取り付け状態で保持される。継手用床板片８２は、床面材４１と同じ面材及び床断熱材４３と同じ断熱材により構成されており、取り付け状態にある場合に継手用開口部８１を閉鎖するとともに床部３７の一部を形成し、取り外された場合に継手用開口部８１を開放する。なお、継手用床板片８２は継手用開口部８１に対して開閉可能に取り付けられていてもよい。
【００５１】
洗面室３１の床部３７において洗面台５５の現位置及び洗面台５５を設置可能な位置には洗面台用開口部８５が設けられている。洗面台用開口部８５は、床下空間３８と洗面室３１とを連通しており、洗面室３１の端部において床部３７の周縁部に沿って延びている。洗面台用開口部８５には複数の洗面台用床板片８６が着脱可能に取り付けられている。洗面台用開口部８５の下面側には、洗面台用床板片８６を下方から支持する支持枠８７が設けられており、洗面台用床板片８６は支持枠８７上に載置されることにより取り付け状態で保持される。洗面台用床板片８６は、継手用床板片８２と同様に床面材４１と同じ面材及び床断熱材４３と同じ断熱材により構成されており、取り付け状態にある場合に洗面台用開口部８５を閉鎖するとともに床部３７の一部を形成し、取り外された場合に洗面台用開口部８５を開放する。なお、洗面台用床板片８６は洗面台用開口部８５に対して開閉可能に取り付けられていてもよい。
【００５２】
各洗面台用床板片８６は、それぞれの大きさ及び形状が同じとされており、互いの位置の入れ替えが可能となっている。例えば、各洗面台用床板片８６は、一辺の長さが２５０mｍの略正方形状とされている。また、洗面室３１において床部３７は、一辺の長さが１７５０ｍｍの略正方形状とされており、洗面台用床板片８６は床部３７の一辺について複数並べられている。
【００５３】
洗面室３１の略中央を中心として回転する第２配管６２，７２の回転先端部の移動軌跡Ｒａ，Ｒｂは、洗面室３１において床部３７の周縁部に沿って延びている。したがって、第２配管６２，７２の回転に伴ってその第２配管６２，７２の回転先端部は床部３７の各辺において隅角部の間の部分周辺の下方を通る。つまり、床部３７の各辺の中間部分に配置された洗面台用床板片８６の下方を通る。
【００５４】
移動軌跡Ｒａ，Ｒｂと平面視で重なる位置に配置された複数の洗面台用床板片８６のうち、洗面台５５の現位置の下方にある洗面台用床板片８６ａに配管取り出し口７７が形成されている。つまり、配管取り出し口７７は、移動軌跡Ｒａ，Ｒｂの上方において洗面台５５と第２配管６２，７２の間にある洗面台用床板片８６ａに形成されている。この場合、床下空間３８から洗面室３１に延びている第２配管６２，７２は洗面台用床板片８６ａを貫通している。
【００５５】
ここで、現位置にある洗面台５５は外壁３６側の壁際において洗面台用開口部８５の上方に設置されている。そして、洗面台５５が現位置である移設元Ｐ１から移設先Ｐ２に移設される場合、移設先Ｐ２において洗面台５５は、移設元Ｐ１とは継手用床板片８２を挟んで反対側（浴室３２側）の壁際に設置される。この場合、給水管６０及び排水管７０において第２配管６２，７２の回転軸Ｊａ，Ｊｂは、移設元Ｐ１までの離間距離と移設先Ｐ２までの離間距離とが同じ大きさとなる位置に配置されている。
【００５６】
ここでは、洗面台５５を移設元Ｐ１から移設先Ｐ２に移設する場合の作業手順について図３を参照しつつ説明する。図３は、洗面台５５を移設する場合の作業手順を説明するための説明図である。なお、図１、図３においては第１配管６１，７１、回転継手６４，７４の図示を明確にするために、第１配管６１、回転継手７４が移設元Ｐ１と移設先Ｐ２との中間位置から側方へずれた位置に図示してあるが、実際は第１配管６１，７１、回転継手６４，７４の両方が移設元Ｐ１と移設先Ｐ２との中間位置にある。
【００５７】
まず、給水管６０の第３配管６３を給水バルブ５６から取り外すとともに排水管７０の第３配管７３を排水口５７から取り外し、図３（ａ）に示すように、第３配管６３，７３を残して洗面台５５を移設元Ｐ１から撤去する。次に、図３（ｂ）に示すように、移設元Ｐ１において洗面台用床板片８６ａと第３配管６３，７３とを取り外して洗面台用開口部８５を開放させ、洗面台用開口部８５から手を床下空間３８に手を差し入れるなどして第３配管６３，７３から非回転継手６５，７５を残して第３配管６３，７３を取り外す。さらに、洗面室３１の中央にて継手用床板片８２を継手用開口部８１から取り外すとともに、移設先Ｐ２にて洗面台用床板片８６を洗面台用開口部８５から取り外す。
【００５８】
そして、図３（ｃ）に示すように、回転継手６４，７４を中心として第２配管６２，７２を回転させ、第２配管６２，７２の各回転先端部を移設先Ｐ２の下方に移動させる。この場合、作業者は床部３７の継手用開口部８１から床下空間に手を差し入れるなどして回転継手６４，７４や第２配管６２，７２の回転基端側の部分を押圧して第２配管６２，７２を回転させる。その後、図３（ｄ）に示すように、移設先Ｐ２において、洗面台用開口部８５から手を床下空間３８に差し入れるなどして非回転継手６５，７５に第３配管６３，７３を接続する。つまり、第２配管６２，７２に第３配管６３，７３を連結する。
【００５９】
続いて、図３（ｅ）に示すように、移設元Ｐ１で取り外した洗面台用床板片８６ａを移設先Ｐ２において洗面台用開口部８５に取り付ける。この場合、洗面台用床板片８６ａの配管取り出し口７７に第３配管６３，７３を挿通させつつ洗面台用床板片８６ａを取り付け、第３配管６３，７３を洗面台用床板片８６ａ上に露出させる。その一方で、移設先Ｐ２で取り外した洗面台用床板片８６を移設元Ｐ１において洗面台用開口部８５に取り付ける。また、洗面室３１の床部３７中央において継手用床板片８２を継手用開口部８１に取り付ける。
【００６０】
最後に、図３（ｆ）に示すように、洗面台５５を移設先Ｐ２に設置し、洗面台５５の給水バルブ５６に給水管６０の第３配管６３を接続するとともに、排水口５７に排水管７０の第３配管７３を接続する。
【００６１】
以上詳述した本実施形態によれば、以下の優れた効果が得られる。
【００６２】
洗面台５５の給水バルブ５６及び排水口５７に接続されている給水管６０及び排水管７０においては、第２配管６２，７２が回転継手６４，７４を介して第１配管６１，７１に連結されていることにより、第２配管６２，７２が第１配管６１，７１に対して回転可能とされている。このため、例えば、洗面台５５を移設元Ｐ１から移設先Ｐ２に移設する場合に、床下空間３８において第２配管６２，７２を回転させることにより、第２配管６２，７２の回転先端部を移動軌跡Ｒａ，Ｒｂ上において移設先Ｐ２の下方に移動させることができる。つまり、第２配管６２，７２を回転させるという容易な作業により、給水管６０及び排水管７０の第２配管６２，７２の配管ルートを変更することができる。さらに、例えば、第２配管６２，７２が非回転継手６５，７５により第１配管６１，７１に連結されている構成とは異なり、第２配管６２，７２を非回転継手６５，７５に対して取り外す作業や再び取り付ける作業を行う必要がない。
【００６３】
以上の結果、洗面台５５の移設に伴って行われる給水管６０及び排水管７０の配管工事の容易化を図ることができる。
【００６４】
洗面室３１において、床部３７の周縁部に沿って延びるように洗面台用開口部８５が形成されており、給水管６０及び排水管７０は第２配管６２，７２の回転先端部の移動軌跡Ｒａ，Ｒｂが洗面台用開口部８５の下方を通るように配設されている。特に、移動軌跡Ｒａ，Ｒｂは洗面台５５の移設元Ｐ１及び移設先Ｐ２において洗面台用開口部８５の下方を通っている。このため、洗面台５５を移設する際に、移設先Ｐ２において第３配管６３，７３を通すために床部３７を加工して配管取り出し口７７を新たに形成するという必要がなく、配管取り出し口７７付きの洗面台用床板片８６ａを移設元Ｐ１ではなく移設先Ｐ２において洗面台用開口部８５に取り付ける容易な作業により移設先Ｐ２に配管取り出し口７７を設けることができる。したがって、洗面台５５の移設に際して、配管取り出し口７７の形成作業を容易化することができる。
【００６５】
洗面室３１において、移設先Ｐ２の洗面台用床板片８６ａと移設元Ｐ１の洗面台用床板片８６との位置の入れ替えが可能とされている。このため、配管取り出し口７７を移設先Ｐ２にて床部３７に形成することに加えて、及び配管取り出し口７７を移設元Ｐ１にて床部３７から取り去ることが容易になる。そして、移設元Ｐ１の床部３７を洗面室３１における他の部分の床部３７と同じように使用することができる。さらに、移設先Ｐ２や移設元Ｐ１において洗面台用床板片８６，８６ａを取り外した後に、新規の洗面台用床板片８６を洗面台用開口部８５に取り付けるという必要がない。したがって、新規の洗面台用床板片８６を使用する構成に比べて、配管取り出し口７７の移設作業についてコスト低減を図ることができる。
【００６６】
洗面室３１において、洗面台用床板片８６は床部３７の周縁部に沿って並べられている。この場合、配管取り出し口７７付きの洗面台用床板片８６ａを他の洗面台用床板片８６と入れ替えることにより、配管取り出し口７７を洗面室３１の壁際において移設することが容易となる。ここで、洗面台５５は壁際に配置されることが多いため、壁際における配管取り出し口７７の移設を容易にすることは、洗面台５５の移設工事の容易化を図ることになる。
【００６７】
しかも、給水管６０及び排水管７０の第２配管６２，７２は洗面室３１の床部３７の略中央を中心として回転するため、第２配管６２，７２の回転先端部は洗面室３１の壁際に配置されることになる。したがって、第３配管６３，７３を壁際において床下空間３８から洗面室３１に向けて延ばす上でも、配管取り出し口７７付きの洗面台用床板片８６ａを壁際に配置できることが好適である。さらに、洗面台用床板片８６は床部３７の一辺において複数並べられているため、配管取り出し口７７をその一辺に沿った位置に移設することが容易となる。したがって、洗面室３１の壁際のうち床部３７の一辺に沿った位置で洗面台５５を移設する作業を容易化することができる。
【００６８】
床下空間３８において、排水管７０の第２配管７２が給水管６０の第１配管６１、第２配管６２、回転継手６４の上方に配置されているため、第２配管７２を給水管６０が支障となることなく回転させることができる。したがって、排水管７０の第２配管７２の配管ルートを変更する際の自由度や第２配管７２の回転先端部の移動先の自由度が、給水管６０の存在により低下することを回避できる。
【００６９】
一方、給水管６０の第２配管６２は、排水管７０の第１配管７１や回転継手７４と干渉しない範囲で回転可能とされている。これに対して、第２配管６２の回転先端部と第３配管６３の下端部とをフレキシブル配管により連結することにより、排水管７０と干渉する位置に第３配管６３を移設する場合でも給水管６０を敷設することができる。
【００７０】
建物１０はユニット式建物とされ、建物ユニット２０の床大梁２３を含んで床部３７が構成されているため、床下空間３８において床部３７を床束等の支持柱により下方から支持する必要がない。このため、支持柱が支障となって第２配管６２，７２を回転させることができないという不都合を回避できる。
【００７１】
（他の実施形態）
本発明は上記実施形態の記載内容に限定されず、例えば次のように実施してもよい。
【００７２】
（１）給水管６０及び排水管７０において第２配管６２，７２の回転軸Ｊａ，Ｊｂは洗面室３１の中央部分から離間した位置に配置されていてもよい。例えば、図６に示すように、給水管６０において第２配管６２の回転軸Ｊａが洗面室３１の隅角部近傍にて上下方向に延びている構成とする。この構成において、第２配管６２の回転による回転先端部の移動軌跡Ｒａは、回転軸Ｊａのある隅角部と隣り合う２つの隅角部を通る円弧とされている。継手用開口部８１及び継手用床板片８２は、洗面室３１において床部３７の隅角部に設けられている。一方、洗面台用開口部８５及び洗面台用床板片８６は移動軌跡Ｒａの上方に設けられている。
【００７３】
この構成でも、洗面台用開口部８５の上方が洗面台５５の移設元Ｐ１及び移設先Ｐ２とされれば、配管取り出し口７７付きの洗面台用床板片８６ａを配管取り出し口７７なしの洗面台用床板片８６と入れ替えることにより配管取り出し口７７の移設を容易に行うことができる。なお、図６においては、洗面台５５の図示を省略している。
【００７４】
また、洗面台用開口部８５は、上記のように、洗面室３１において床部３７の周縁部側でなく中央寄りに設けられていてもよく、必ずしも移動軌跡Ｒａの上方に設けられていなくてもよい。
【００７５】
（２）水回り設備は現位置の部屋とは異なる部屋に移設されてもよい。例えば、図７に示すように、建物１０において洗面室３１の隣には水回り空間としてのキッチン９１が配置されており、水周り設備としての洗面台５５の移設先Ｐ２がキッチン９１内に設定されている構成とする。この構成においては、洗面台５５に接続された給水管６０において第２配管６２の回転先端部の移動軌跡Ｒａが洗面室３１に加えてキッチン９１の下方を通っている。この場合、洗面室３１及びキッチン９１の下方にある床下空間３８が基礎１１の立ち上がり部１１ａなどにより仕切られておらず、給水管６０の回転先端部が洗面室３１の下方に加えてキッチン９１の下方に移動可能となっている。
【００７６】
洗面室３１及びキッチン９１の各床部３７には、移動軌跡Ｒａの上方に洗面台用開口部８５及び洗面台用床板片８６がそれぞれ設けられている。洗面台５５を洗面室３１からキッチン９１に移設する場合、第２配管６２を回転させてその第２配管６２の敷設ルートを変更するとともに第３配管６３を移設し、さらに、洗面室３１の配管取り出し口７７付きの洗面台用床板片８６ａをキッチン９１の洗面台用床板片８６と位置の入れ替えを行う。これにより、洗面台５５等の水回り設備を複数の部屋間で移動させる場合でも、その移設作業に伴う配管工事や配管取り出し口７７の移設作業を容易化することができる。
【００７７】
なお、洗面台５５の移設先Ｐ２が設定される部屋は、建物１０の改装等に関係なく移設元Ｐ１とは異なる部屋であってもよく、改装等が行われることで仕切壁３５により移設元Ｐ１と仕切られた部屋であってもよい。また、移設元Ｐ１や移設先Ｐ２が設定される空間は部屋などの屋内空間であればよい。
【００７８】
（３）給水管６０及び排水管７０においては、第１配管６１，７１に対して複数の第２配管６２，７２が回転可能な状態で連結されていてもよい。例えば、図８に示すように、給水管６０において第１配管６１に対して２つの第２配管６２が回転継手６４により連結されている構成とする。この構成では、第１配管６１には２つの回転継手６４が接続され、それら回転継手６４は第１配管６１の長手方向に沿って上下に並べられており、各回転継手６４には第２配管６２がそれぞれ取り付けられている。各第２配管６２は上下に並べて配置されており、互いに干渉することなく回転継手６４を中心として回転する。これにより、第１配管６１に対して複数の第２配管６２が連結されている構成において、各第２配管６２を回転させてそれら第２配管６２の配管ルートを変更する際の自由度低下を回避できる。
【００７９】
洗面室３１にはシャワー等の給水設備９２と洗濯機９３とが水回り設備として設置されており、２つの給水管６０のうち一方が給水設備９２に接続され、他方が洗濯機９３に接続されている。この場合でも、給水設備９２及び洗濯機９３を移設する際、それら給水設備９２や洗濯機９３、第３配管６３を取り外した後、各第２配管６２を回転させることにより第２配管６２の配管ルートを容易に変更することができる。
【００８０】
（４）水回り設備は屋内空間から屋外空間に移設されてもよい。例えば、上記の図８において、洗面室３１に設置された給水設備９２が屋外空間に移設される構成とする。この構成において、基礎１１の立ち上がり部１１ａには給水管６０を挿通させる給水管挿通孔９４が設けられている。給水管挿通孔９４は、給水管６０の第２配管７２の回転軸Ｊａとその第２配管６２の回転先端部の移動軌跡Ｒａとの延長線上に含まれる部分に配置されている。
【００８１】
給水設備９２を洗面室３１から屋外空間に移設する場合、洗面室３１において給水設備９２を取り外すとともにその給水設備９２を屋外空間において外壁３６の屋外面に対して取り付ける。そして、第３配管６３を第２配管６２から取り外し、第２配管６２を回転させて第２配管６２の回転先端部を基礎１１の給水管挿通孔９４側に移動させる。その後、フレキシブル配管等の屋外配管９５を給水管挿通孔９４に挿通させ、その屋外配管９５により第２配管６２と移設後の給水設備９２とを連結する。これにより、給水設備９２等の水回り設備を屋内空間から屋外空間に移設する場合でも、その移設作業に伴う配管工事の容易化を図ることができる。
【００８２】
（５）給水管６０及び排水管７０において第２配管６２，７２は、互いに相対回転が可能な複数の配管部により形成されていてもよい。つまり、第２配管６２，７２が多関節リンク機構を有していてもよい。例えば、図９に示すように、給水管６０において第２配管６２が、回転継手６４に対して回転可能に連結され且つ第２配管６２の回転基端側に配置された基端側配管部６２ａと、基端側配管部６２ａに対して回転可能に連結され且つ第２配管６２の回転先端側に配置された先端側配管部６２ｂとを備えた構成とする。
【００８３】
この構成において、先端側配管部６２ｂは上下方向に延びる回転軸Ｏｃを中心に基端側配管部６２ａに対して回転する。この場合、基端側配管部６２ａが第１配管６１に対して回転した際の回転軸Ｏｃの移動軌跡Ｒｃは、第２配管６２の回転軸Ｊａを中心とした円状となる。一方、先端側配管部６２ｂの回転先端部はその先端側配管部６２ｂの回転軸Ｏｃを中心とした円周上を移動する。このため、基端側配管部６２ａを第１配管６１に対して回転させるとともに先端側配管部６２ｂを基端側配管部６２ａに対して回転させることにより、第２配管６２の回転先端部（先端側配管部６２ｂの回転先端部）を円周上に沿って移動させることはもちろんのこと、円周上以外に移動させることができる。
【００８４】
例えば、第２配管６２の回転先端部を直線的に移動させることができる。このため、第２配管６２の回転先端部が洗面室３１の隅角部の下方にある場合に、基端側配管部６２ａ及び先端側配管部６２ｂをそれぞれ回転させて第２配管６２を折り曲げた状態とすることにより、第２配管６２の回転先端部を床部３７の一辺の中間部分の下方に移動させることができる。また、第２配管６２を折り曲げた状態とすることにより障害物を避けることが可能となる。したがって、第２配管６２が多関節リンク機構を備えることにより、第２配管６２の回転先端部の移動先の自由度を高めることや、第２配管６２の配管ルートの自由度を高めることが可能となる。
【００８５】
（６）洗面室３１において、複数の洗面台用床板片８６のうち床部３７の隅角部に配置された洗面台用床板片８６を他の洗面台用床板片とは異なるものとしてもよい。例えば、大きさ及び形状が異なるものとする。ここで、洗面台用床板片８６は床部３７の周縁部、すなわち巾木５１に沿って横並びに配置されており、洗面台用床板片８６に巾木５１用の凹部が形成されている場合、床部３７の隅角部ではその凹部が洗面台用床板片８６に２辺に必要となる。したがって、床部３７の隅角部に配置される洗面台用床板片８６を他の洗面台用床板片８６と異なるものとすることが好ましい。
【００８６】
また、巾木５１は洗面台用床板片８６の上方に設けられていてもよい。この場合、巾木５１は着脱可能な状態で仕切壁３５及び外壁３６に取り付けられていることが好ましい。
【００８７】
（７）上記実施形態では、洗面台用床板片８６ａに形成された開口部が配管取り出し口７７とされているが、洗面台用開口部８５において洗面台用床板片８６が取り外されて開放された部分が配管取り出し口７７とされてもよい。つまり、配管取り出し口７７は、洗面台用床板片８６ａが床部３７に取り付けられることで床部３７において開口するものであってもよく、洗面台用床板片８６が床部３７から取り外されることで床部３７において開口するものであってもよい。洗面台用床板片８６が取り外されることで配管取り出し口７７が形成される場合、配管取り出し口７７の大きさ及び形状は、洗面台用開口部８５及び洗面台用床板片８６の大きさ及び形状により設定されることになる。
【００８８】
また、配管取り出し口７７は、洗面台５５の現位置を含めてあらかじめ複数設けられていてもよい。例えば、洗面室３１において配管取り出し口７７付きの洗面台用床板片８６ａが移設元Ｐ１及び移設先Ｐ２のそれぞれにあらかじめ設けられている構成とする。この場合、洗面台５５の移設に際して配管取り出し口７７の移設作業を行う必要がないため、洗面台５５の移設作業の容易化を図ることができる。
【００８９】
（８）給水管６０の第２配管６２を排水管７０の第２配管７２の上方において回転可能な構成としてもよく、それら第２配管６２，７２を同じ高さレベルに設置してもよい。つまり、給水管６０や排水管７０との水配管が複数ある場合、いずれかの水配管の第２配管を他の水配管より上方において回転可能な構成としてもよく、全ての水配管の第２配管を同じ高さレベルに設置してもよい。
【００９０】
（９）水回り設備としては、洗面台５５の他に、浴槽、流し台、便器等が挙げられる。また、水回り空間としては、洗面室３１やキッチンの他にトイレなどが挙げられる。
【００９１】
（１０）床下水配管は、二階部分１６等の上階部分の床部の下方にある床下空間に設けられていてもよい。
【符号の説明】
【００９２】
１０…建物、３１…水回り空間としての洗面室、３５…壁部としての仕切壁、３６…壁部としての外壁、３７…床部、３８…床下空間、５５…水回り設備としての洗面台、６１…床下水配管を構成する第１配管、６２…床下水配管を構成する第２配管、６２ａ…第２配管を形成する配管部としての先端側配管部、６２ｂ…第２配管を形成する配管部としての基端側配管部、６３…第３配管、６４…回転継手、７１…床下水配管を構成する第１配管、７２…床下水配管を構成する第２配管、７３…第３配管、７４…回転継手、７７…配管取り出し口、８６…床板片としての洗面台用床板片、８６ａ…床板片としての洗面台用床板片、９１…水回り空間としてのキッチン、９２…水回り設備としての給水設備、９３…水回り設備としての洗濯機。
【図１】
2012117587.tif 000003
【図２】
2012117587.tif 000004
【図３】
2012117587.tif 000005
【図４】
2012117587.tif 000006
【図５】
2012117587.tif 000007
【図６】
2012117587.tif 000008
【図７】
2012117587.tif 000009
【図８】
2012117587.tif 000010
【図９】
2012117587.tif 000011